(57)【要約】【課題】記録ヘッドにおける複数のノズルの記録特性の差に起因する記録画像の濃度むらの発生を確実に抑えて、より高品位な画像を記録することができるインクジェット記録装置およびインクジェット記録方法を提供すること。【解決手段】記録ヘッドにおける大ノズルおよび小ノズルは、記録媒体上の同一位置に大ドットおよび小ドットの形成が可能である。ドットの配置パターンを変えることなく、ノズルのインク吐出量のばらつきに応じて大ノズルと小ノズルの中から使用ノズルを決定する。【選択図】図１６
2013000951.tif 000002
【特許請求の範囲】
【請求項１】
異なる吐出量のインクを記録媒体上の同一位置に吐出可能な複数種類のノズルが形成された記録ヘッドを用い、画像データに基づいて前記ノズルからインクを吐出することにより、前記記録媒体にドットを形成して画像を記録するインクジェット記録装置であって、
前記ノズルの所定数毎の記録特性を取得する取得手段と、
前記画像データに基づいて、前記記録媒体に形成するドットの配置パターンを決定する第１の決定手段と、
前記記録特性に応じて、前記複数種類のノズルの中から、前記配置パターンのドットを形成するための使用ノズルを決定する第２の決定手段と、
前記配置パターンのドットを形成するように、前記使用ノズルからインクを吐出させる制御手段と、
を備えることを特徴とするインクジェット記録装置。
【請求項２】
前記第２の決定手段は、前記記録特性に応じて、前記使用ノズルを前記複数種類のノズルのそれぞれに分配する分配率を異ならせることを特徴とする請求項１に記載のインクジェット記録装置。
【請求項３】
前記分配率は、前記画像データの階調値によらず一定であることを特徴とする請求項２に記載のインクジェット記録装置。
【請求項４】
前記配置パターンは、前記分配率によらず一定であることを特徴とする請求項２または３に記載のインクジェット記録装置。
【請求項５】
前記記録ヘッドは、前記複数種類のノズルが形成されたチップを複数備え、
前記取得手段は、前記チップの単位で前記記録特性を取得することを特徴とする請求項１から４のいずれかに記載のインクジェット記録装置。
【請求項６】
前記複数種類のノズルは、その種類毎のノズル列に沿って複数配列されていることを特徴とする請求項１から５のいずれかに記載のインクジェット記録装置。
【請求項７】
前記ノズル列は、前記種類毎に複数形成されていることを特徴とする請求項６に記載のインクジェット記録装置。
【請求項８】
前記記録特性は、インクの吐出量のばらつき、吐出するインクの明度、吐出するインクの濃度、およびノズルの吐出口面積の内の少なくとも１つであることを特徴とする請求項１から７のいずれかに記載のインクジェット記録装置。
【請求項９】
異なる吐出量のインクを記録媒体上の同一位置に吐出可能な複数種類のノズルが形成された記録ヘッドを用い、画像データに基づいて前記ノズルからインクを吐出することにより、前記記録媒体にドットを形成して画像を記録するインクジェット記録方法であって、
前記ノズルの所定数毎の記録特性を取得する工程と、
前記画像データに基づいて、前記記録媒体に形成するドットの配置パターンを決定する工程と、
前記記録特性に応じて、前記複数種類のノズルの中から、前記配置パターンのドットを形成するための使用ノズルを決定する工程と、
前記配置パターンのドットを形成するように、前記使用ノズルからインクを吐出させる工程と、
を含むことを特徴とするインクジェット記録方法。
【発明の詳細な説明】
【技術分野】
【０００１】
本発明は、記録ヘッドにおける複数のノズルの記録特性の差に起因する記録画像の濃度むらの発生を抑えるインクジェット記録装置およびインクジェット記録方法に関するものである。
【背景技術】
【０００２】
インクジェット記録装置は、インクを吐出可能な複数のノズルが形成された記録ヘッドを用い、それらのノズルから記録媒体上にインクを吐出して文字などを含む画像を記録する。このような記録装置では、ノズル毎のインクの吐出特性（記録特性）の違いにより、記録画像に濃度むらが生じるおそれがある。例えば、複数のノズルが形成されたチップを複数並べて構成した長尺の記録ヘッド（ラインヘッド）において、記録媒体に記録される画像中の隣接する画像部分は、互いに隣接する異なるチップのノズルから吐出されたインクによって記録される。そのため、互いに隣接するチップのノズルから吐出されるインクの吐出量に差があった場合には、記録画像に濃度むらが発生して、画像品位が劣化するおそれがある。
【０００３】
特許文献１には、チップ毎のノズルのインク吐出量（記録特性）の差に起因する濃度むらの発生を抑えるために、インク吐出量の差に応じて使用ノズルを変更する構成が記載されている。
【先行技術文献】
【特許文献】
【０００４】
【特許文献１】米国特許第７２４９８１５号明細書
【発明の概要】
【発明が解決しようとする課題】
【０００５】
しかし、特許文献１に記載の従来技術において、それぞれのノズルから吐出されるインクによってドットが形成される記録媒体上の位置は互いにずらされており、記録媒体上の同一位置に、複数のノズルを選択的に使用してドットを形成することはできない。そのため、インク吐出量の差に応じて使用ノズルを変更した場合には、記録媒体上に形成されるドットの配置パターンが変化し、その配置パターンの変化が認識されて、画像の品質の劣化を招くおそれがある。したがって、記録画像の濃度むらの補正範囲は、ドットの配置パターンの変化が認識されない範囲に限定されてしまい、濃度むらを充分に補正することは難しい。
【０００６】
本発明の目的は、記録ヘッドにおける複数のノズルの記録特性の差に起因する記録画像の濃度むらの発生を確実に抑えて、より高品位な画像を記録することができるインクジェット記録装置およびインクジェット記録方法を提供することにある。
【課題を解決するための手段】
【０００７】
本発明のインクジェット記録装置は、異なる吐出量のインクを記録媒体上の同一位置に吐出可能な複数種類のノズルが形成された記録ヘッドを用い、画像データに基づいて前記ノズルからインクを吐出することにより、前記記録媒体にドットを形成して画像を記録するインクジェット記録装置であって、前記ノズルの所定数毎の記録特性を取得する取得手段と、前記画像データに基づいて、前記記録媒体に形成するドットの配置パターンを決定する第１の決定手段と、前記記録特性に応じて、前記複数種類のノズルの中から、前記配置パターンのドットを形成するための使用ノズルを決定する第２の決定手段と、前記配置パターンのドットを形成するように、前記使用ノズルからインクを吐出させる制御手段と、を備えることを特徴とする。
【０００８】
本発明のインクジェット記録方法は、異なる吐出量のインクを記録媒体上の同一位置に吐出可能な複数種類のノズルが形成された記録ヘッドを用い、画像データに基づいて前記ノズルからインクを吐出することにより、前記記録媒体にドットを形成して画像を記録するインクジェット記録方法であって、前記ノズルの所定数毎の記録特性を取得する工程と、前記画像データに基づいて、前記記録媒体に形成するドットの配置パターンを決定する工程と、前記記録特性に応じて、前記複数種類のノズルの中から、前記配置パターンのドットを形成するための使用ノズルを決定する工程と、前記配置パターンのドットを形成するように、前記使用ノズルからインクを吐出させる工程と、を含むことを特徴とする。
【発明の効果】
【０００９】
本発明によれば、異なる吐出量のインクを記録媒体上の同一位置に吐出可能な複数種類のノズルの中から、ノズルの記録特性に応じて使用ノズルを決定することにより、ドットの配置パターンを変えることなく、画像の記録濃度を補正することができる。この結果、高品位の画像を記録することができる。
【図面の簡単な説明】
【００１０】
【図１】本発明の一実施形態における記録装置の概略構成の説明図である。
【図２】（ａ）は、図１における記録ヘッドの概略構成の説明図、（ｂ）は、その記録ヘッドにおけるチップの概略構成の説明図である。
【図３】図１の記録装置における画像処理部のブロック構成図である。
【図４】（ａ）は、ドット分配比率の設定処理を説明するためのフローチャート、（ｂ）は、記録処理を説明するためのフローチャートである。
【図５】（ａ）は、図３における量子化処理部の概略のブロック構成図、（ｂ）は、量子化後の出力レベルの説明図である。
【図６】量子化後の出力レベルと、ドット配置と、との関係の説明図である。
【図７】（ａ）から（ｇ）は、それぞれ、画像データの処理過程の説明図である。
【図８】（ａ）から（ｉ）は、それぞれ、画像データの処理過程の説明図である。
【図９】ドットサイズの決定処理を説明するためのフローチャートである。
【図１０】（ａ）は、参照テーブルの一例の説明図、（ｂ）は、ドットの配置座標の説明図である。
【図１１】（ａ）から（ｅ）は、それぞれ、参照テーブルの異なる他の例の説明図である。
【図１２】１つのチップ内から複数の記録特性を取得するための領域の説明図である。
【図１３】（ａ）および（ｂ）は大小ドット分配率の説明図、（ｃ）および（ｄ）は大ドットの分配率と平均吐出量との関係の説明図である。
【図１４】（ａ）および（ｂ）は、インク量誤差と１ドット当たりのインク量との関係の説明図、（ｃ）および（ｄ）は、インク量誤差と大小ドット分配率との関係の説明図である。
【図１５】（ａ）および（ｂ）は、インク量誤差と１ドット当たりのインクの平均吐出量との関係の説明図である。
【図１６】（ａ）から（ｃ）は、記録特性に応じたドットの形成例の説明図である。
【図１７】（ａ）から（ｆ）は、ドット配置パターンと視覚的な感知の程度との関係の説明図である。
【発明を実施するための形態】
【００１１】
以下、本発明の実施形態を図面に基づいて説明する。  
（記録装置の概要）
図１は、本実施形態のインクジェット記録装置Ａ１の概略構成の説明図である。本例の記録装置１は、インクジェット式のラインプリンタであり、制御ユニット２、インクカートリッジ６１〜６４、記録ヘッド７、搬送機構８などを備えている。インクカートリッジ６１〜６４には、それぞれ、シアン、マゼンタ、イエロー、ブラックのインクが収納されている。
【００１２】
記録ヘッド７はラインヘッドタイプであり、記録媒体１００と対向する面には、矢印Ｘの搬送方向と交差（本例の場合は、直交）する方向に沿うノズル列を形成するように、複数のノズルが設けられている。ノズルには、インクを吐出するための吐出エネルギー発生素子が備えられており、その吐出エネルギー発生素子としては、電気熱変換素子（ヒータ）やピエゾ素子などを用いることができる。電気熱変換素子を用いた場合には、その発熱によりインクを発泡させ、その発泡エネルギーを利用して、吐出口からインクを吐出させることができる。記録ヘッド７としては、シアンインク吐出用、マゼンタインク吐出用、イエローインク吐出用、およびブランクインク吐出用のもの備えられている。それらの記録ヘッドに対して、対応するインクカートリッジ６１〜６４内のインクがインク導入管６１ａ〜６４ａを通して供給される。これらのインクが対応する記録ヘッド７から吐出されることにより、記録媒体１００に画像が記録される。記録ヘッド７の詳細については後述する。
【００１３】
搬送機構８は、搬送モーター８１と搬送ローラー８２を備えている。搬送モーター８１によって搬送ローラー８２が回転されることにより、記録媒体１００が記録ヘッド７と対向する記録位置を通して矢印Ｘ方向に搬送される。
【００１４】
制御ユニット２は、ＣＰＵ３とＲＡＭ４とＲＯＭ５が備えられており、記録ヘッド７および搬送ローラー８２の動作を制御する。ＣＰＵ３は、ＲＯＭ５内に記憶された制御プログラムをＲＡＭ４に展開して実行することにより、後述する画像に対するさまざまな処理、記録ヘッド７によって記録する画像データの生成、および搬送機構８の制御などを行う。
【００１５】
図２は、記録ヘッド７の構成例の説明図である。本例の記録ヘッド７には、図２（ａ）のように、矢印Ｘの搬送方向と交差（本例の場合は、直交）する方向に沿ってチップ７１から７４が千鳥状に配列されている。これら複数備えられたチップのそれぞれには、ノズル列が複数形成されている。チップ７１には、図２（ｂ）のようにノズル列７１ａ〜７１ｄが形成されており、ノズル列７１ａ，７１ｃを形成するノズルの吐出口から吐出されるインク滴は、ノズル列７１ｂ，７１ｄを形成するノズルの吐出口から吐出されるインク滴よりも大きい。したがって、前者のインク滴によって形成されるドットの径は、後者のインク滴によって形成されるドットの径よりも大きい。以下、比較的大きいドット（大ドット）を形成するノズル（大ノズル）が配列されるノズル列７１ａ，７１ｃを「大ノズル列」、比較的小さいドット（小ドット）を形成するノズル（小ノズル）が配列されるノズル列７１ｂ，７１ｄを「小ノズル列」ともいう。これらのノズル列７１ａ〜７１ｄは、製造上のばらつきなどにより、ノズルからのインクの吐出量などの記録特性が異なる場合がある。チップ７２から７４のそれぞれには、ノズル列７１ａ〜７１ｄと同様のノズル列７２ａ〜７２ｄ，７３ａ〜７３ｄ，７４ａ〜７４ｄが形成されている。このようにインクの吐出量が異なるノズルは、同一ラスター上にドットを形成できるように配列されている。つまり、大ノズルと小ノズルは、記録媒体上の同一位置にインクを吐出して、その同一位置に大ドットと小ドットを形成することができる。チップ７１〜７４は、本例のように千鳥状に配列する他、一直線上に配列してもよい。また、チップ７１〜７４は、径が異なる少なくとも２種類のドットを形成するためのノズル列が形成されていればよい。
【００１６】
本例においては、吐出量が同じノズルが配列されたノズル列が２つずつ形成されている。しかし、吐出量が同じノズルが配列されたノズル列を１つずつ形成してもよい。また、１つのノズル列に対して、複数のノズルを一列に配列する他、千鳥状などのように２次元的に配列してもよい。また、異なる径のドットが形成可能であれば、１つのノズルから吐出量が異なる複数種のインク滴を吐出可能な記録ヘッドを用いることもできる。また、インク色は前述したシアン、マゼンタ、イエロー、ブラックに限定されず任意である。
【００１７】
（画像処理部）
図３は、本実施形態における画像処理部のブロック構成図、図４は、その画像処理部によって実行される処理を説明するためのフローチャートである。本例では、ノズルの記録特性を表す値として、記録ヘッド７の各チップ７１，７２，７３，７４のノズルから吐出されるインク量（以下、「吐出量」ともいう）を用いる。以下、図３の画像処理部の構成と共に、図４のフローチャートについて説明する。
【００１８】
まず、図４（ａ）のドット分配比率の設定処理において、記録装置１は、図３の記録特性取得部（取得手段）５１によって、チップ７１〜７４の大ノズル列および小ノズル列の記録特性を取得する（ステップＳ１）。大ノズル列の記録特性は、その大ノズル列を形成するノズルからに実際に吐出されるインク量に関する情報であり、小ノズル列の記録特性は、その小ノズル列を形成するノズルから実際に吐出されるインク量に関する情報である。これらの記録特性は、記録ヘッドの製造時および使用時に測定して入力することができる。記録特性は、例えば、記録ヘッドを用いて所定の記録特性測定パターンを記録し、その測定パターンの読取り結果に基づいて測定することができる。大ノズル列は、チップ７１においてノズル列７１ａ，７１ｃであり、小ノズル列は、チップ７１においてはノズル列７１ｂ，７１ｄである。
【００１９】
次に、補正目標値設定部５２によって目標のインク吐出量（目標吐出量）を設定する（ステップＳ２）。その目標吐出量は、大ノズル列と小ノズル列を用いて複数ドット（大ドットおよび小ドット）が形成される所定領域内において、１ドット当たりの目標とする平均吐出量である。次に、その目標吐出量と、ステップＳ１にて取得した記録特性（インク吐出量）と、の比較結果に基づいて、大小ドット分配率決定部（第１の決定手段）５３が大ドットと小ドットの形成する比率（大小ドット分配率）を決定する（ステップＳ３）。本例においては、チップ７１〜７４の単位で、記録特性（インク吐出量）と目標吐出量に基づいてドット分配率を決定する。チップ７１に関しては、大ノズル列７１ａ，７１ｃのノズルの記録特性（インク吐出量）を３ｎｇ、小ノズル列７１ｂ，７１ｄのノズルの記録特性（インク吐出量）を２ｎｇとする。また、チップ７１の目標吐出量は２．５ｎｇとし、ドット分配比率は大ドット：小ドット＝１：１とする。他のチップ７２から７４に関しても同様である。
【００２０】
次に、図４（ｂ）の記録処理について説明する。本例おいては、メモリーカード９１（図１参照）に保存されている画像データに、記録装置１が所定の画像処理を加えることにより、画像データをドットの有無によって表現されるドットデータに変換し、そのドットデータに基づいて画像を記録する。
【００２１】
まずはステップＳ１１にて、制御ユニット２が画像入力部３１を用いて、記録すべき画像データをメモリーカード９１から読み込む。本例の場合、画像データは、解像度が６００ｄｐｉで、ＲＧＢの各データが８ｂｉｔで２５６階調を表現するカラー画像であるとして説明する。しかし、画像データは単色画像（モノクロ画像）であってもよい。次に、ステップＳ１２において、色変換処理部３２の色変換処理によって、画像データを６００ｄｐｉ、Ｃ，Ｍ，Ｙ，Ｋ（シアン，マゼンタ，イエロー，ブラック）の各色８ｂｉｔで２５６階調を表現するデータに変換する。色変換処理とは、Ｒ，Ｇ，Ｂの各階調値の組み合わせによって表現されているＲＧＢのカラー画像を、インク色の階調値によって表現されるデータに変換する処理である。前述したように、記録装置１は、Ｃ，Ｍ，Ｙ，Ｋの４色のインクを用いて画像を記録する。そこで本例の色変換処理部３２は、ＲＧＢで表現された画像データを、Ｃ，Ｍ，Ｙ，Ｋの各インク色の階調値によって表現されるデータに変換する。
【００２２】
このように変換された各インク色の階調データは、その後、量子化処理部３３によって量子化処理される（ステップＳ１３）。この量子化処理は、８ｂｉｔで２５６階調という多階調の画像データの階調値を低減させて、記録装置１において記録可能な少ない階調（本例の場合は、５値）のデータとするための処理である。一般に、量子化処理としては誤差拡散法やディザ法が用いられることが多い。
【００２３】
図５（ａ）は、一般的な誤差拡散処理の説明図であり、図５（ｂ）は、その誤差拡散処理における閾値（ｔｈｒｅｓｈｏｌｄ）、出力レベル（Ｏｕｔ）、および評価値（Ｅｖａｌｕａｔｉｏｎ）の関係の説明図である。図５（ａ），（ｂ）を用いて、５値の多値誤差拡散処理について説明する。まず、画像濃度値（Ｉｎ）と、周辺画素からの拡散誤差値（ｄＩｎ）と、を加算して補正濃度値（Ｉｎ＋ｄＩｎ）を得る。その補正濃度値（Ｉｎ＋ｄＩｎ）と閾値（ｔｈｒｅｓｈｏｌｄ）とを比較器にて比較し、補正濃度値の値に応じて、閾値により定められた出力レベル（Ｏｕｔ）を出力する。図５（ｂ）の例の場合、補正濃度値（Ｉｎ＋ｄＩｎ）が“３２以下”であれば、出力レベル（Ｏｕｔ）はレベル０となり、それが３２より大きくかつ９６以下であれば、出力レベル（Ｏｕｔ）はレベル１となる。次に、補正濃度値（Ｉｎ＋ｄＩｎ）から評価値（Ｅｖａｌｕａｔｉｏｎ）を引いた多値化誤差（Ｅｒｒｏｒ＝Ｉｎ  ＋  ｄＩｎ  -  Ｅｖａｌｕａｔｉｏｎ）を算出し、その多値化誤差を周辺画素へ拡散させるために、重み付け演算を行って誤差バッファに加算する。出力レベル（Ｏｕｔ）と評価値（Ｅｖａｌｕａｔｉｏｎ）との関係は、出力レベル（Ｏｕｔ）がレベル４であれば、評価値（Ｅｖａｌｕａｔｉｏｎ）は”２５５“となり、それがレベル３ならば”１９２“となる。同様に、それがレベル２ならば”１２８“、それがレベル１ならば”６４“、それがレベル０ならば”０“となる。最後に、注目画素位置に拡散された誤差値を誤差バッファから取り出し、それを重み係数の総和で正規化して、次の画素の拡散誤差（ｄＩｎ）とする。以上の処理を全画素について繰り返し実行する。このようにして、８ｂｉｔで２５６階調のデータを量子化して、記録装置１で記録可能な５階調のデータとする。
【００２４】
図４（ｂ）に戻り、ステップＳ１４においては、ドット位置決定部３４を用いて、記録画素単位で低階調に量子化された画像データ（量子化後画像データ）から、その記録画素内のドット配置を決定する。図６は、記録画素単位の量子化後画像データ（解像度６００ｄｐｉでレベル０〜４の５値の画像データ）を、解像度１２００ｄｐｉのドットパターンで表すためのドット位置の説明図である。例えば、量子化後画像データがレベル１の場合、６００ｄｐｉの記録画素内には１ドットのみが配置され、そのドットの配置位置は、（ａ）から（ｄ）のように、「左上」、「左下」、「右下」、「右上」の位置に繰り返し設定される。
【００２５】
次に、ドット分配処理部３５は、大小ドット分配率決定部５３に対して、ドットを記録するノズルの位置に関する情報（本例では、ドットを記録するチップに関する情報）を伝達する。また、ドット分配処理部３５は、前述したように記録特性（インク吐出量）に応じて決定された分配率に関する情報を大小ドット分配率決定部５３から受け取る。また、ドット分配処理部３５は、その分配率に関する情報を大小ドット分配テーブル記憶部４１に伝達することにより、大小ドット分配テーブルを取得する。ドット分配処理部３５は、後述するように、その大小ドット分配テーブルを用いて、先のステップＳ１４にて配置位置が決定されたドットのサイズを大ドットまたは小ドットに決定する（ステップＳ１５）。本例では、３ｎｇの大ドットと２ｎｇの小ドットを用い、それらのドット数を所定の記録領域において１：１の割合で分配するように、解像度１２００ｄｐｉの２値の大小分配記録データを得る。大小ドット分配率は、画像データの階調値によらず一定あるいは略一定である。
【００２６】
次に、ステップＳ１６にて、使用ノズル列決定部（第２の決定手段）３６は、大小分配記録データを記録するためのノズル列を決定してノズル列分配パターン記憶部４２に伝達して、そのノズル列に対する分配パターンを記憶部４２から得る。さらに、使用ノズル列決定部３６は、分配パターンと大小分配記録データから、チップ毎に、ノズル列（チップ７１の場合は、ノズル列７１ａ〜７１ｄ）のそれぞれによって記録するノズル列別記録データ（解像度１２００ｄｐｉで２値のデータ）を生成する。
【００２７】
次に、ステップＳ１７にて、ノズル列毎に生成されたノズル列別記録データに基づいて、それに対応するチップのノズル列（チップ７１の場合は、ノズル列７１ａ〜７１ｄ）からインクを吐出して、記録媒体１００上にドットを形成することにより画像を記録する。つまり、搬送モーター８１を駆動して記録媒体１００を搬送し、その搬送に合わせて、ノズル列別記録データに基づいて記録ヘッド７からインクの液滴を吐出する。この結果、記録特性（インク吐出量）に応じた割合で大ドットと小ドットが形成された画像が記録されることになる。
【００２８】
（画像処理の具体例）
図７（ａ）は、ステップＳ１１にて読み込まれる画像データの一例を示す。ここでは、｛Ｒ，Ｇ，Ｂ｝＝｛１７１，１７１，１７１｝のデータとする。ステップＳ１２において、この画像データは、前述したようにＣ，Ｍ，Ｙ，Ｋのインク毎の階調データに変換される。図７（ｂ）には、インクＣのみの階調データを示し、その階調値はＣ＝８５に変換されたものとする。インクＣ，Ｍ，Ｙ，Ｋ毎の階調データは、前述したようようにステップＳ１３において、８ｂｉｔの２５６階調を表現するデータから、記録装置１によって記録可能な階調値（本例では、レベル０〜４の５値）を表現するデータに変換される。図７（ｃ）は５値に変換されたインクＣのデータを示し、本例の場合は、前述した図５の誤差拡散処理により、信号値Ｃ＝８５は、それに対応する出力レベルに変換される（レベル１．４に相当する）。本例において、出力レベル０〜４の５値に変換されるため、Ｃ＝６４はレベル１に変換され、Ｃ＝１２８はレベルに変換される。したがって、それらの間にあるＣ＝８５には、図７（ｃ）のようにレベル１（Ｌ１）とレベル２（Ｌ２）とが混在することになる。このようにレベル１とレベル２の階調値に変換されたＣ＝８５は、前述したようにステップＳ１４において、図６のドット配置パターンを用いて、１２００ｄｐｉに対応する位置毎のドットの有無を示すデータ（図７（ｄ））に変換される。
【００２９】
次のステップＳ１５においては、前述したように、ドットのサイズ（本例では、吐出量が３ｎｇのインク滴によって形成される大ドット、吐出量が２ｎｇのインク滴によって形成される小ドット）を決定する。すなわち、図７（ｄ）のデータを記録するチップの記録特性（インク吐出量）に関する情報に基づいて、その情報に応じてチップ毎に予め設定されている大小ドット分配率を取得し、さらに、その大小ドット分配率から大小ドット分配テーブルを取得する。そして後述するように、その大小ドット分配テーブルを参照することにより、図７（ｄ）のドットのサイズ（大ドット、小ドット）を決定する。
【００３０】
図９は、図４のステップＳ１５の処理（ドットサイズの決定処理）を説明するためのフローチャートである。図１０（ａ）は、大小ドット分配率が大ドット：小ドット＝１：１の場合の大小ドット分配テーブルである。図１０（ａ）のテーブルを例にして、ドットサイズを大ドットまたは小ドットに決定する方法を図９のフローチャートにより説明する。
【００３１】
まず、図７（ｄ）のドット配置が決定された後、ステップＳ２１において、チップの記録特性（インク吐出量）に関する情報から大小ドット分配率（本例では、１：１）を決定し、その分配率に応じた大小ドット分配テーブルを取得する。その後のステップＳ２２〜Ｓ２５の処理は、量子化処理によって決定された図７（ｄ）のドット配置に関して、ドットの位置を順次調べるための処理である。図６（ｄ）において、Ａ方向の位置座標の単位をカラム、Ｂ方向の位置座標の単位をラスターとする。カラムの番号をＣ、ラスターの番号をＲとして、図６（ｄ）における位置座標を（Ｒ，Ｃ）によって表すと、図１０（ｂ）のようになる。例えば、１ラスターの１カラム目は（１，１）、１ラスターの１カラム目は（１，２）となる。ステップＳ２２，Ｓ２３では、１ラスター目から最後のラスターまでラスター番号Ｒを１つずつインクリメントする。ラスター番号は、ステップＳ２２Ａにおいて初期値“０”にリセットされる。ステップＳ２４では、１カラム目からカラム番号Ｃを１つずつインクリメントする。カラム番号は、ステップＳ２４Ａにおいて初期値“０”にリセットされる。そして、ステップＳ２５において、座標（Ｒ，Ｃ）にドットが位置するか否かを判定する。
【００３２】
このように、座標（１，１）から、ラスター方向（図７（ｄ）のＡ方向）に順番にドットの有無を判定する。そして、ドットがあれば、図１０（ａ）の大小ドット分配テーブルを参照して、ドットのサイズを決定する（ステップＳ２７）。図７（ｄ）のドット配置の場合、まず、座標（１，１）にはドットがあるため、図１０（ａ）のテーブルの所期の参照位置のデータを参照する。本例において、初期におけるテーブルの参照位置は先頭位置Ｐ１である。図１０（ａ）のテーブルの先頭位置には大ドットのデータがあるため、図７（ｅ）のように座標（１，１）のドットのサイズは大ドットと決定する。ステップＳ２６〜Ｓ２９は、大小ドット分配テーブルを次に参照するときの参照位置を決めるための処理である。すなわち、ステップＳ２６において、テーブルの参照位置が終端か否かを判定し、それが終端でなければ、ステップＳ２８にてテーブルの参照位置を１つ先に進める。その参照位置が終端であれば、ステップＳ２９にて参照位置を先頭に戻す。座標（１，１）のドットのサイズを決定した後は、図１０（ａ）のテーブルの参照位置が位置Ｐ２にずらされることになる。
【００３３】
座標（１，１）は最終カラムではないため、ステップＳ３０から先のステップＳ２４に戻って、次の座標（１，２）についてドットを探索する。次の座標（１，２）にはドットがないため、テーブルは参照せずにステップＳ２４に戻る。次の座標（１，３）および（１，４）にもドットがないため、同様にステップＳ２４に戻る。次の座標（１，５）にはドットがあるため、ステップＳ２６において、先のステップＳ２８にてずらされた図１０（ａ）のテーブルの参照位置Ｐ２のデータを参照する。その参照位置Ｐ２には小ドットのデータがあるため、図７（ｆ）のように座標（１，５）のドットのサイズを小ドットに決定する。本例の場合、参照位置Ｐ２はテーブルの終端であるため、ステップＳ２９において、参照位置を先頭位置Ｐ１に戻す。このような処理を繰り返すことにより、１ラスター目に配置されるドットについて、そのサイズを決定する。
【００３４】
１ラスター目の最終のカラムに対する処理が終了した後は、ステップＳ３０からステップＳ２２に進む。これにより、前述した第１ラスター目の場合と同様に、第２ラスターから最終ラスターに配置されるドットについて、そのサイズを決定する。最終的には、図７（ｇ）のように、第１から第８ラスターに配置されるドットについて、そのサイズが決定される。
【００３５】
図７（ｇ）の大小ドットデータにおいて、吐出量３ｎｇのインク滴によって形成される大ドットと、吐出量２ｎｇのインク滴によって形成される小ドットは、大小ドット分配率が１：１の大小ドット分配テーブル（図１０（ａ））に基づいて分配される。したがって、所定の記録領域において、１ドット当たり平均して２．５ｎｇのインクが吐出されることになる。図８（ａ）は、大ドットに関するデータ（大ドットデータ）のみを抜き出して示し、図８（ｂ）は、小ドットに関するデータ（小ドットデータ）のみを抜き出して示す。これらの図の記録領域において、大ドットと小ドットは共に１１ドットである。
【００３６】
次に、図４（ｂ）のステップＳ１６において、このように決定されたサイズ（大小）のドットを形成するためのノズル列を決定する。
【００３７】
本例の記録ヘッドには、図２（ｂ）のように、大ノズル列と小ノズル列が２つずつあるため、図８（ｃ），（ｄ）のノズル列分配パターン（１），（２）を用いて、図８（ａ），（ｂ）のドットデータのそれぞれを２分割する。これらのパターン（１），（２）は、それぞれ５０％がＯＮとなっており、かつ両者のＯＮは補完関係にある。大ドットを形成する図２（ｂ）のノズル列７１ａ用の記録データは、図８（ｅ）のように、図８（ａ）の大ドットデータと、図８（ｃ）のノズル列分配パターン（１）と、の論理積（ＡＮＤ）により生成する。同様に、大ドットを形成する図２（ｂ）のノズル列７１ｃ用の記録データは、図８（ｆ）のように、図８（ａ）の大ドットデータと、図８（ｄ）のノズル列分配パターン（２）と、の論理積（ＡＮＤ）により生成する。これにより、図８（ａ）の大ドットデータが２分割されて、ノズル列７１ａ用の記録データと、ノズル列７１ｃ用の記録データと、が生成される。
【００３８】
同様に、図８（ｃ），（ｄ）ノズル列分配パターン（１），（２）を用いて、図８（ｂ）の小ドットデータを２分割することにより、図８（ｇ），（ｈ）のように、小ドットを形成するノズル列７１ｂ，７１ｄ用の記録データを生成する。大ドットデータと小ドットデータを分割するノズル列分配パターンは、必ずしも本例のように同一である必要はなく、異ならせてもよい。
【００３９】
次に、図４（ｂ）のステップＳ１７においては、このように生成されたノズル列毎の記録データを対応する記録ヘッド７に転送し、その記録データに基づいてノズル列７１ａ〜７１ｄからインクを吐出することにより、記録媒体１００上に画像を記録する。図８（ｉ）は、記録媒体１００上に形成された大小ドットの位置を示す。
【００４０】
（大小ドット分配テーブルの切替え構成）
チップ毎にノズル列の記録特性（インク吐出量）が異なっていた場合に、それらの記録特性に応じて、チップ毎に大小ドット分配テーブルを切替えてもよい。
【００４１】
図２（ａ）中のチップ７２についてもチップ７１と同様に、図４（ａ）のステップＳ１において、図３の記録特性取得部５１を用いてインク吐出量に関する情報を取得する。本例では、チップ７２のインク吐出量がチップ７１のインク吐出量の８３．３％であって、２．５ｎｇのインク滴によって大ドットが形成され、１．６７ｎｇのインク滴によって小ドットが形成されるものとする。次に、図４（ａ）のステップＳ２にて、補正目標値設定部５２により目標吐出量が２．５ｎｇに設定され、ステップＳ３にて、チップ７２についての大小ドット分配率として大ドット：小ドット＝１：０が設定される。図４（ｂ）のステップＳ１１〜Ａ１４までの処理は、記録チップ７１の場合と同様であるため説明は省略する。次のステップＳ１５において、ドット分配処理部３５は、チップ７２に対応した分配率の情報（１：０）を図３の大小ドット分配テーブル記憶部４１に渡して、その分配率に応じた大小ドット分配テーブルを取得する。図１１は、分配率に応じて設定された大小ドット分配テーブルを示す。
【００４２】
図１１（ａ），（ｂ），（ｃ），（ｄ）の大小ドット分配テーブルは、大ドットと小ドットの分配率が１：０、３：１、１：１、１：３、０：１の場合に用いられる。これらの図から明らかなように、それらの分配テーブルにおいて、大ドットの記録を許可する参照位置の数と、小ドットの記録を許可する参照位置の数と、の比は、大ドットと小ドットの分配率と同じである。本例において、チップ７２の大小ドット分配率は１：０であるため、図３のドット分配処理部３５は、大小ドット分配テーブルとして図１１（ａ）のテーブルを取得する。図４（ｂ）のステップＳ１６以降の処理は、チップ７１の場合と同様である。
【００４３】
このように、大小ドット分配率に応じて大小ドット分配テーブルを選択することにより、複数のチップの記録特性（インク吐出量）が異なる場合に、それらのチップ毎にインクの吐出量を補正することができる。また、このような分配テーブルを用いて、図７（ｄ）のように量子化されたデータを大ドットおよび小ドットに対して繰り返し分配するため、記録画像の如何に拘わらず、決定された大小ドット分配率にしたがって大小のドットを確実に配置させることができる。この結果、粒状性や一様性が良好な画像を記録することができる。
【００４４】
本例においては、チップ毎に大小ドット分配率を決定している。しかし、チップを複数の区分に分割し、それぞれの区分毎に記録特性を取得して大小ドット分配率を決定して、それに応じた大小ドット分配テーブルを選択するようにしてもよい。例えば、チップ内におけるノズルの記録特性のばらつきが大きい場合には、図１２のようにチップ７１を３つの区分（７１−１，７１−２，７１−３）に分割し、それらの区分毎に大小ドット分配率を決定してもよい。ノズルの記録特性は、チップ単位またはチップの分割区分単位に特定されず、所定数毎に取得できればよい。
【００４５】
（大小ドット分配率と平均吐出量との関係）
図１３のように、大小ドットの分配率を変更することによって、所定の記録領域当たりに付与するインク量を調整することができる。前述したように、記録位置が決定されたドットを大ドットまた小ドットとして記録するため、図１３（ａ），（ｂ）のように、大ドットと小ドットとの分配率の合計は常に１００％となる。図１３（ｃ），（ｄ）は、所定の記録領域内における１ドット当たりのインクの平均吐出量を示す。大小ドットの分配率を変更することにより、１ドット当たりのインクの平均吐出量は、小ドットのみの２ｎｇから大ドットのみの３ｎｇまで調整できる。
【００４６】
図１４（ａ），（ｂ）は、チップ毎のインク吐出量のばらつきの一例を説明するための図である。従来のチップは、図１４（ａ），（ｂ）のように、インクの目標吐出量を２．５ｎｇとしたときに、製造のばらつきにより吐出量に±２０％の誤差があって、吐出量が２〜３ｎｇの間でばらつくものとする。このような製造のばらつきが生じた場合、記録ヘッド内のチップ毎に記録特性（インク吐出量）が異なって、記録濃度に差が生じて画像品位が劣化するおそれがある。本発明の記録ヘッドにおいて、インクの吐出量に誤差がないときの小ドットおよび大ドット形成用のインクの吐出量が０．０８ｎｇおよび３．１３ｎｇであって、従来のチップと同様にインク吐出量に±２０％の誤差が生じた場合を想定する。この場合、小ドットを形成するためのインクの吐出量は、図１４（ａ），（ｂ）のように１．６７〜２．５０ｎｇの範囲でばらつくことになる。同様に、大ドットを形成するためのインク吐出量は、２．５０〜３．７５ｎｇの範囲でばらつくことになる。
【００４７】
図１４（ｃ），（ｄ）は、本発明における大小ドット分配率と、インク吐出量の誤差（インク量誤差（％））と、の関係の説明図である。インク量誤差が−２０％のときは、分配率を大ドット１００％、小ドット０％とし、インク量誤差が＋２０％のときは、分配率を大ドット０％、小ドット１００％”とする。インク量誤差が−２０％と＋２０％の範囲においては、図１４（ｃ），（ｄ）のように、大ドットと小ドットの分配率の合計が１００となり、かつ、１ドット当たりのインクの平均吐出量が一定になるように、大ドットと小ドットの分配率を変更する。図１５（ａ），（ｂ）は、従来と本発明における１ドット当たりインクの平均吐出量の比較例を示す。従来においては、チップの製造誤差により、平均吐出量が２〜３ｎｇの範囲で変動する。一方、本発明の場合は、大ドットと小ドットの分配率を変更することにより、製造誤差の如何に拘わらず、平均吐出量を２．５ｎｇに一定に維持することが可能となる。本例では、大小ドット分配率を０〜１００％とした。しかし、ノズル列毎の使用頻度の差を小さくするために、大小ドット分配率の幅を狭く（例えば、２５〜７５％）としてもよい。
【００４８】
（記録特性（インク吐出量）と記録画像との関係）
図１６（ａ），（ｂ），（ｃ）は、インク吐出量の誤差を大小ドット分配率によって補正する本発明の補正方法を用いて、図７（ｄ）のように配置されるドットを形成した場合の模式図である。図１６（ｂ）は、大小ドット分配率が大ドット５０％、小ドット５０％”で形成されるドットを示す。図１６（ａ）は、インク量誤差が−２０％のときに、大小ドット分配率が大ドット０％、小ドット１００％”で形成されるドットを示す。図１６（ｃ）は、インク量誤差が＋２０％のときに、大小ドット分配率が大ドット１００％、小ドット０％”で形成されるドットを示す。このように、ノズルの記録特性（インク吐出量）に応じて大小ドット分配率を変更することにより、ドットの配置パターンを変えることなく、画像の記録濃度を一定に維持することができる。この結果、高品位の画像を記録することができる。
【００４９】
図１７（ａ）は、ある階調におけるドット配置パターンの一例を示す模式図である。この図において、黒い部分はドットが形成されるエリア、白い部分はドットが形成されないエリアであり、縦３２×横３２のエリアの中に３８７ドットが形成される。
【００５０】
図１７（ｂ）〜（ｅ）は、インク吐出量の誤差をドット数により補正する従来の補正方法によって、図１７（ａ）のドットを形成した場合のドット配置パターンの模式図である。１ドット当たりのインク吐出量が２．３％少ない場合には、図１７（ｂ）のように、ドット数を２．３％増して計３９６ドットが形成される。３２×３２エリア内に吐出されるインク量は、図１７（ａ）では２．５ｎｇ×３８７ドット＝９６８ｎｇとなる。一方、図１７（ｂ）では、２．５ｎｇの９７．７％に相当する２．４４ｎｇのドットが形成され、３２×３２エリア内に吐出されるインク量は、２．４４ｎｇ×３９６ドット＝９６６ｎｇとなる。このように、所定の記録領域（３２×３２エリア）当たりに吐出されるインク量をほぼ等しくするように、記録濃度が補正される。図１７（ｃ）は、１ドット当たりのインク吐出量が図１７（ａ）の場合よりも７．２％少ない場合のドット配置パターンの模式図である。同様に、図１７（ｄ）は、１ドット当たりのインク吐出量が１１．９％少ない場合のドット配置パターン、図１７（ｅ）は、１ドット当たりのインク吐出量が１７．１％少ない場合のドット配置パターンの模式図である。
【００５１】
このような従来の補正方法においては、所定の記録領域（３２×３２エリア）当たりに吐出されるインク量がほぼ等しくなるため、画像濃度には差が生じなかった。また、図１７（ｂ）および図１７（ｃ）の場合は、図１７（ａ）の場合に対してドット数に約２．３％、７．２％の違いがあるものの、それらの両者の記録画像は視覚的な差として感知されなかった。しかし、図１７（ｄ）および図１４（ｅ）の場合には、ドット配置パターンの違いが記録画像の違いとして視覚的に感知された。つまり、図１７の例の場合には、図１７（ａ）のドット配置パターンの画像に対して、図１７（ｂ），（ｃ）のように１ドット当たりのインク量の補正の程度が１０％以下の場合には、視覚的に画像の差が感知されなかった。しかし、図１７（ｂ），（ｃ）のように補正の程度が１０％を超えた場合には、画像の違いとして視覚的に感知された。
【００５２】
一方、大小ドット分配率によって濃度を補正する本発明の補正方法の場合には、前述したようにドット配置パターンは変わらない。そのため、濃度補正後の図７（ｆ）のドット配置パターンは、濃度補正前の図１７（ａ）のドット配置パターンと同じであり、視覚的に両者の画像の差は感知されない。なお、視覚的に画像の相違が感知されない範囲においては、大小ドット分配率によって濃度を補正する本発明の補正方法と、ドット数により濃度を補正する従来の補正方法と、を併用してもよい。例えば、本発明の補正方法によってチップ毎のインク吐出量のばらつき補正し、従来の補正方法によってチップ内におけるノズル列毎のインク吐出量ばらつきを補正するようにしてもよい。本発明の補正方法の場合には、ある程度の大きさの記録領域において大小ドット分配率を決定する必要があり、一方、従来の補正方法の場合には１ドット単位での濃度補正が可能である。したがって、これらの方法を組み合わせることにより、より効果的な濃度補正も可能となる。
【００５３】
（他の実施形態）
上述した実施形態においては、記録装置１が画像データからドット配置までの一連の処理を実行する。しかし、このような処理は、記録装置１に接続されるホスト装置にて実行してもよく、記録装置１とホスト装置とで分担して実行してもよい。前者の場合、記録装置１は、ホスト装置から送られてきた画像データをそのまま記録するものであってもよい。
【００５４】
また、上述した実施形態においては、大ドットと小ドットに関して、それら１ドット当たりのインク吐出量の誤差（記録特性）が同一であるとして説明した。その理由は、大ドットと小ドットを形成するノズル列（７１ａ，７１ｂ）が同一のチップ７１内に形成されていて、それらのノズル列における吐出口の内径の誤差傾向が同一であるからである。しかし、例えば、大ドットと小ドットを別々のチップに形成されたノズル列によって形成するために、大ドットと小ドットに関するインク吐出量の誤差傾向が異なる場合にも、本発明は適用することができる。その場合は、大ドットを形成するインクの吐出量の誤差と、小ドットを形成するインクの吐出量の誤差と、を考慮して、それらの組み合わせによって最適な大小ドット分配率を設定すればよい。
【００５５】
また、上述した実施形態においては、大ドットと小ドットをそれぞれ２つのノズル列を用いて形成する。しかし、それらのドットを１つのノズル列、または３つ以上のノズル列を用いて形成するようにしてもよい。つまり、大ノズルと小ノズルは、それぞれ複数のノズル列に沿って複数配列してもよい。また、上述した実施形態においては、図７（ｃ）のように、１２００×１２００ｄｐｉ格子においてドット配置を変更しない例について説明した。しかし、図３の量子化処理部３３を用いて量子化処理（図４（ｂ）のステップＳ１３）を行う記録画素単位（本例では、６００×６００ｄｐｉ）の範囲内において、ドットの位置を変更してもよい。量子化処理を行う記録画素単位で階調を表現しているため、その記録画素単位毎のドット数と記録濃度は一定である必要がある。しかし、目視距離からの記録画像の観察においては、量子化処理を行う記録画素単位内のさらに細かいドットの位置の変化の影響は感知されにくい。
【００５６】
また、大ドットと小ドットを形成するための大，小ノズルの組み合わせ以外に、例えば、大ドット，中ドット，小ドットを形成するための大，中，小ノズルの組み合わせ等、インクの吐出量が異なる３種以上の複数種類のノズルを組み合わせてもよい。ノズル列は、それらの複数種類のノズルの種類毎に、複数形成することができる。また本発明は、上述したようなフルラインタイプの記録装置（ラインプリンタ）に対する他、種々のタイプの記録装置に対して広く適用することができる。例えば、記録ヘッドの主走査方向の移動と、記録媒体の副走査方向の搬送と、を伴って画像を記録するシリアルスキャンタイプの記録装置（シリアルプリンタ）に対しても適用することができる。
【００５７】
また、ノズルの記録特性は、インク吐出量のばらつきのみに特定されない。例えば、インク吐出量のばらつき、吐出するインクの明度、吐出するインクの濃度、およびノズルの吐出口面積の内の少なくとも１つであってもよい。
【符号の説明】
【００５８】
１  記録装置
２  制御ユニット
７  記録ヘッド
７１〜７４  チップ
７１ａ〜７１ｄ，７２ａ〜７２ｄ，７３ａ〜７３ｄ，７４ａ〜７４ｄ  ノズル列
１００  記録媒体
３３  量子化処理部
３４  ドット位置決定部
３５  ドット分配処理部
５１  記録特性取得部
【図１】
2013000951.tif 000003
【図２】
2013000951.tif 000004
【図３】
2013000951.tif 000005
【図４】
2013000951.tif 000006
【図５】
2013000951.tif 000007
【図６】
2013000951.tif 000008
【図７】
2013000951.tif 000009
【図８】
2013000951.tif 000010
【図９】
2013000951.tif 000011
【図１０】
2013000951.tif 000012
【図１１】
2013000951.tif 000013
【図１２】
2013000951.tif 000014
【図１３】
2013000951.tif 000015
【図１４】
2013000951.tif 000016
【図１５】
2013000951.tif 000017
【図１６】
2013000951.tif 000018
【図１７】
2013000951.tif 000019